(57)【要約】【課題】軒天井に建物設備が埋め込まれていても軒天板の支持状態を適正なものとすることができる建物の軒天構造を提供する。【解決手段】窓部１９の上方にはシャッタケース２２が設けられている。シャッタケース２２は、下方から軒天井３２に埋め込まれた状態になっており、外壁１８の外壁面に対して取り付けられている。軒天井３２は、天井面を形成する軒天板３３を有しており、軒天板３３は軒天フレーム６２により支持されている。軒天フレーム６２は、長手屋外大梁６５ａよりもシャッタケース２２側に配置された長手中間梁６６ａを有しており、配置長手中間梁６６ａには第１ブラケット７１が取り付けられている。第１ブラケット７１は、シャッタケース２２に向けて延びた延出部７５を有しており、軒天板３３におけるシャッタケース２２側の端部が下地材７３を介して延出部７５の先端部分に固定されている。【選択図】      図２
2014125752.tif 000002
【特許請求の範囲】
【請求項１】
建物の外壁面に建物設備が取り付けられ、屋根の軒部に設けられた軒天井に前記建物設備が下方から埋め込まれている建物に適用され、
前記軒天井において天井面を形成する軒天板と、
前記軒部の所定位置に設けられている軒材と、
を備え、
前記軒天板における前記建物設備側の端面は、該建物設備の側面に対向しており、
前記軒材には、前記建物設備に向けて延びている延出部を有し且つ前記軒天板における前記建物設備側の端部を支持する支持ブラケットが取り付けられていることを特徴とする建物の軒天構造。
【請求項２】
前記軒材は、前記軒天板の上方に配置された梁材であり、
前記支持ブラケットは、前記梁材の長手方向に沿って複数設けられていることを特徴とする請求項１に記載の建物の軒天構造。
【請求項３】
前記軒天板の上方には、交差する方向に延びる複数の前記梁材が互いに連結された軒天フレームが設けられており、
前記支持ブラケットは、前記複数の梁材のうち少なくとも１つの梁材の長手方向に沿って複数設けられていることを特徴とする請求項２に記載の建物の軒天構造。
【請求項４】
前記建物は、前記屋根の下に設置された上階部と、該上階部の下に設置された下階部とを有しており、
前記上階部は、前記軒天井と前記下階部の屋内空間との間に設けられた屋外空間としてのロジア空間を有しており、
前記軒部は、前記ロジア空間の床部から上方に向けて延びている屋外柱により下方から支持されており、
前記屋外柱と前記軒天フレームとが連結されてロジアフレームが形成されていることを特徴とする請求項３に記載の建物の軒天構造。
【請求項５】
前記支持ブラケットは、前記延出部から上方に向けて延びる起立部を有しており、
前記支持ブラケットにおいては、前記起立部が前記軒材の側面に対して取り付けられていることを特徴とする請求項１乃至４のいずれか１項に記載の建物の軒天構造。
【請求項６】
前記軒材には、前記支持ブラケットよりも前記建物設備から遠い位置において前記軒天板を支持する中間ブラケットが取り付けられており、
前記支持ブラケット及び前記中間ブラケットのいずれに対しても、下地材を介して前記軒天板が取り付けられていることを特徴とする請求項１乃至５のいずれか１項に記載の建物の軒天構造。
【請求項７】
前記下地材は、前記延出部と前記軒天板との間に設けられ、前記延出部の下面に対して取り付けられていることを特徴とする請求項６に記載の建物の軒天構造。
【請求項８】
前記支持ブラケットは、前記延出部の先端から下方に向けて突出している下方突出部を有しており、
前記下地材は、前記延出部の延出方向において該延出部よりも前記建物設備側に設けられ、前記下方突出部における前記建物設備側の面に対して取り付けられていることを特徴とする請求項６又は７に記載の建物の軒天構造。
【請求項９】
前記軒部が張り出している外壁には外壁開口部が設けられており、
前記外壁開口部に対しては、当該外壁開口部の屋外側において昇降するシャッタカーテン、及び該シャッタカーテンを収納するシャッタケースを有しているシャッタ装置が設けられており、
前記シャッタケースが、前記建物設備として前記軒天井に下方から埋め込まれていることを特徴とする請求項１乃至８のいずれか１項に記載の建物の軒天構造。
【発明の詳細な説明】
【技術分野】
【０００１】
本発明は、建物の軒天構造に関するものである。
【背景技術】
【０００２】
住宅等の建物において、外壁に形成された窓部に対してシャッタ装置が設けられている場合、そのシャッタ装置のシャッタケースは窓部の上方において外壁面に対して取り付けられていることが多い。例えば、開口部の上方に軒天井が設けられている建物において、シャッタケースが窓部と軒天井との間に配置されている構成がある（例えば特許文献１）。この構成では、シャッタケースが軒天井の下方に配置されている。
【先行技術文献】
【特許文献】
【０００３】
【特許文献１】特開２００２−１０６２７３号公報
【発明の概要】
【発明が解決しようとする課題】
【０００４】
しかしながら、シャッタケースが軒天井の下方に配置されている構成では、シャッタケースの高さ寸法が軒天井と窓部との離間距離よりも大きい場合、シャッタケースが窓部の上部を塞いだ状態になってしまう。また、シャッタケースが軒天井と窓部との間に配置されていると、窓部の上下寸法の大きさが軒天井ではなくシャッタケースにより制限されてしまう。
【０００５】
そこで、シャッタケースを下方から軒天井に埋め込むことが考えられる。これにより、シャッタケースが窓部を塞いだ状態になることや、窓部の上下寸法の大きさがシャッタケースにより規制されることを回避できる。
【０００６】
ここで、軒天井の天井面を形成している軒天板においては、一般に外壁側の端部が外壁に対して固定されている。ところが、軒天井にシャッタケースが埋め込まれている部分においては、軒天板と外壁との間にシャッタケースが存在しており、軒天板におけるシャッタケース側の端部を外壁に対して固定することが困難になる。また、シャッタケースが軒天板の固定に耐えうる強度を有していない場合、シャッタケースが破損したり変形したりするおそれがあるため、軒天板におけるシャッタケース側の端部をシャッタケースに固定することもできない。
【０００７】
いずれにしても、軒天板におけるシャッタケース側の端部を好適に固定することができず、軒天板が不安定な取り付け状態になることが懸念される。なお、この懸念は、シャッタケースに限らず他の建物設備が軒天井に下方から埋め込まれている場合に生じてしまう。
【０００８】
本発明は、上記事情に鑑みてなされたものであり、軒天井に建物設備が埋め込まれていても軒天板の支持状態を適正なものとすることができる建物の軒天構造を提供することを主たる目的とするものである。
【課題を解決するための手段】
【０００９】
以下、上記課題を解決するのに有効な手段等につき、必要に応じて作用、効果等を示しつつ説明する。
【００１０】
第１の発明の建物の軒天構造は、建物の外壁面に建物設備が取り付けられ、屋根の軒部に設けられた軒天井に前記建物設備が下方から埋め込まれている建物に適用され、前記軒天井において天井面を形成する軒天板と、前記軒部の所定位置に設けられている軒材と、を備え、前記軒天板における前記建物設備側の端面は、該建物設備の側面に対向しており、前記軒材には、前記建物設備に向けて延びている延出部を有し且つ前記軒天板における前記建物設備側の端部を支持する支持ブラケットが取り付けられていることを特徴とする。
【００１１】
第１の発明によれば、建物設備が軒天井に埋め込まれている構成において、支持ブラケットの延出部が建物設備に向けて延びているため、軒材が建物設備から離間した位置に配置されていても、軒天板における建物設備側の端部を延出部の先端部分により支持することができる。これにより、軒天板を建物設備に固定しなくても、軒天板の取り付け状態が不安定になることを解消できる。また、軒天板における建物設備側の端部を支持可能な位置に軒材を設置することも考えられるが、本発明によれば、軒材の位置を建物設備の形状や大きさに合わせて変更しなくても、軒天板における建物設備側の端部を好適に支持できる。したがって、設計変更の負担や軒天井を施工する際の負担を低減することができる。以上により、軒天井に建物設備が埋め込まれていても、軒天板の支持状態を適正なものとすることができる。
【００１２】
第２の発明では、第１の発明において、前記軒材は、前記軒天板の上方に配置された梁材であり、前記支持ブラケットは、前記梁材の長手方向に沿って複数設けられている。
【００１３】
梁材に対して軒天板が取り付けられている場合、その梁材は軒天板における建物設備側の端部だけでなく、軒天板における他の部分も支持する必要がある。このため、建物設備の大きさや形状に合わせて梁材の位置を変更すると、軒天板における建物設備側の端部を好適に支持することはできても、軒天板における他の部分が適正な状態で支持することができないということが懸念される。
【００１４】
これに対して、第２の発明によれば、梁材の位置を変更することなく、支持ブラケットにより軒天板における建物設備側の端部を好適に支持することができるため、軒天板の全体を好適に支持することが可能となる。
【００１５】
なお、軒天板における建物設備側の端部ではない部分を支持する中間ブラケットが、支持ブラケットと同じ梁材に取り付けられていることが好ましい。この場合、中間ブラケットが取り付けられている梁材について、建物設備の大きさや形状に合わせて、中間ブラケットを支持ブラケットに取り替える、又は支持ブラケットを追加するという容易な作業により、軒天板の全体を好適に支持することができる。
【００１６】
第３の発明では、第２の発明において、前記軒天板の上方には、交差する方向に延びる複数の前記梁材が互いに連結された軒天フレームが設けられており、前記支持ブラケットは、前記複数の梁材のうち少なくとも１つの梁材の長手方向に沿って複数設けられている。
【００１７】
第３の発明によれば、軒天フレームをユニット化することで軒天井の施工について工業化を図った場合、建築現場において１つの梁材の位置だけを変更することが困難になる。また、１つの梁材の位置を変更するとしても、建築現場での作業工数が増加してしまう。これに対して、軒天板における建物設備側の端部を支持する構成において、梁材の位置を変更するのではなく支持ブラケットを用いることで、建築現場での作業工数の増加を抑制できる。
【００１８】
第４の発明では、第３の発明において、前記建物は、前記屋根の下に設置された上階部と、該上階部の下に設置された下階部とを有しており、前記上階部は、前記軒天井と前記下階部の屋内空間との間に設けられた屋外空間としてのロジア空間を有しており、前記軒部は、前記ロジア空間の床部から上方に向けて延びている屋外柱により下方から支持されており、前記屋外柱と前記軒天フレームとが連結されてロジアフレームが形成されている。
【００１９】
第４の発明によれば、ユニット化されたロジアフレームを用いることでロジア空間の施工について工業化が図られているため、建築現場において１つの梁材の位置だけを変更することが困難になっている。また、仮に変更可能であったとしても建築現場での作業工数が増加してしまう。特に、屋外柱が梁材と一体化されているため、設計段階であっても梁材の位置を変更することが困難になっている。これに対して、軒天板における建物設備側の端部を支持する構成において、梁材の位置を変更するのではなく支持ブラケットを用いることで、建築現場での作業工数の増加を抑制できるとともに、設計変更が生じるという煩わしさを解消できる。
【００２０】
なお、ロジア空間の奥行きが広い場合、外壁からの軒部の突出寸法が大きいことに起因して、軒部が外壁による片持ち支持だけでは支持強度が不足することが懸念される。そこで、軒部における軒先寄りの部分が屋外柱にて支持されていることが好ましい。
【００２１】
第５の発明では、第１乃至第４のいずれかの発明において、前記支持ブラケットは、前記延出部から上方に向けて延びる起立部を有しており、前記支持ブラケットにおいては、前記起立部が前記軒材の側面に対して取り付けられている。
【００２２】
第５の発明によれば、軒材に対する起立部の位置を上下方向に変更するという容易な作業により、支持ブラケットの高さ位置を調整することができる。このため、軒材の高さ位置が軒天板の高さ位置に対してずれていたとしても、そのずれを支持ブラケットの高さ位置の調整により解消できる。これにより、上下方向について軒天板の高さ位置を適正に設定することができる。
【００２３】
第６の発明では、第１乃至第５のいずれかの発明において、前記軒材には、前記支持ブラケットよりも前記建物設備から遠い位置において前記軒天板を支持する中間ブラケットが取り付けられており、前記支持ブラケット及び前記中間ブラケットのいずれに対しても、下地材を介して前記軒天板が取り付けられている。
【００２４】
第６の発明によれば、下地材を支持ブラケット及び中間ブラケットの両方に対して用いられているため、軒天板における建物設備側の端部と、それ以外の部分とで、軒天板を固定するための下地材を使い分ける必要がない。これにより、軒天井の施工についてコスト負担や作業負担を低減することができる。
【００２５】
第７の発明では、第６の発明において、前記下地材は、前記延出部と前記軒天板との間に設けられ、前記延出部の下面に対して取り付けられている。
【００２６】
第７の発明によれば、下地材の位置を延出部の下面に沿ってずらすという容易な作業により、建物設備に対して近付く方向（遠ざかる方向）について下地材の位置を調整することができる。このため、支持ブラケットの延出部の延出寸法が、軒材と建物設備との離間距離に対してずれていたとしても、そのずれを延出部７５に対する下地材の位置調整により解消できる。これにより、建物設備に近付く方向について建物設備に対する下地材の位置合わせを容易に行うことができる。
【００２７】
第８の発明では、第６又は第７の発明において、前記支持ブラケットは、前記延出部の先端から下方に向けて突出している下方突出部を有しており、前記下地材は、前記延出部の延出方向において該延出部よりも前記建物設備側に設けられ、前記下方突出部における前記建物設備側の面に対して取り付けられている。
【００２８】
第８の発明によれば、下地材の位置を下方突出部の側面に沿ってずらすという容易な作業により、下地材の高さ位置を調整することができる。このため、支持ブラケットの高さ位置が軒天板の設置高さに対してずれていたとしても、そのずれを下地材の高さ位置を調整することで解消できる。これにより、上下方向について軒天板の取り付け位置を適正に設定することができる。
【００２９】
第９の発明では、第１乃至第８のいずれかの発明において、前記軒部が張り出している外壁には外壁開口部が設けられており、前記外壁開口部に対しては、当該外壁開口部の屋外側において昇降するシャッタカーテン、及び該シャッタカーテンを収納するシャッタケースを有しているシャッタ装置が設けられており、前記シャッタケースが、前記建物設備として前記軒天井に下方から埋め込まれている。
【００３０】
第９の発明によれば、シャッタケースが軒天井に埋め込まれている構成において、軒天板におけるシャッタケース側の端部を好適に支持することができる。
【図面の簡単な説明】
【００３１】
【図１】ロジア空間周辺の概略構成を示す縦断面図
【図２】軒天井周辺の縦断面図
【図３】軒天井を上から見た平面図
【図４】ロジアフレームの構成を示す斜視図
【図５】第１ブラケットの構成を示す斜視図
【図６】別の軒天井を上から見た平面図
【図７】別の第１ブラケットの構成を示す斜視図
【図８】別の第１ブラケットの構成と示す縦断面図
【図９】別の軒天井周辺の縦断面図
【発明を実施するための形態】
【００３２】
以下、本発明を具体化した一実施形態について図面を参照しつつ説明する。本実施形態では、本発明の軒天構造を、柱及び大梁を有する複数の建物ユニットにより構築された複数階建てのユニット式建物において具体化している。ここで、建物ユニットは工場で製造され、その後、トラック等の輸送手段により工場から建築現場に輸送される。
【００３３】
図１はロジア空間１７周辺の概略構成を示す縦断面図、図２は軒天井３２周辺の縦断面図、図３は軒天井３２を上から見た平面図、図４はロジアフレーム６８の構成を示す斜視図である。なお、図３においては、軒天板３３の図示を省略しており、図４においては、屋根部１３や窓部１９、軒天井３２などの図示を省略している。
【００３４】
図１に示すように、建物１０は、下階部としての一階部分１１と、一階部分１１の上に設けられた上階部としての二階部分１２と、二階部分１２の上に設けられた屋根部１３とを有している。この場合、屋根部１３の下に二階部分１２が設置され、二階部分１２の下に一階部分１１が設置されていることになる。建物１０は屋内空間を有しており、その屋内空間として、一階部分１１には一階居室１５が設けられ、二階部分１２には二階居室１６が設けられている。
【００３５】
二階部分１２には、屋外空間としてのロジア空間１７が設けられている。このロジア空間１７はバルコニーやベランダと称することもできる。二階部分１２においては、ロジア空間１７と二階居室１６とが隣り合っているが、それらロジア空間１７と二階居室１６とは外壁１８により仕切られている。ロジア空間１７は、一階居室１５の上方に配置されており、いわゆるルーフバルコニーと同様の構成になっている。
【００３６】
外壁１８において、ロジア空間１７と二階居室１６とを仕切る部分には、外壁開口部としての窓部１９が設けられている。ちなみに、窓部１９には、矩形枠状のサッシ枠が取り付けられており、そのサッシ枠には開閉可能なサッシ戸が設けられている。
【００３７】
なお、外壁１８は、建物ユニットの躯体に取り付けられており、その躯体により支持されている。建物ユニットは、四隅に立設された柱と、柱の上端部同士を連結する天井大梁と、柱の下端部同士を連結する床大梁とを有し、それら柱、天井大梁及び床大梁により形成された躯体は略直方体状をなしている。
【００３８】
窓部１９の屋外側には、設備機器としてのシャッタ装置２０が設けられている。シャッタ装置２０は、窓部（サッシ戸の屋外面）に沿って昇降するシャッタカーテン２１と、シャッタカーテン２１を収納するシャッタケース２２とを有している。シャッタケース２２は、窓部１９の上方において、外壁１８の屋外側に配置されており、建物躯体に対してボルト等の固定具により固定されることで外壁面に対して取り付けられている。シャッタケース２２の内部には、シャッタカーテン２１を巻き取る巻取ドラム２３が設けられており、シャッタカーテン２１は、巻取ドラム２３に巻かれた状態でシャッタケース２２に収納される。なお、シャッタケース２２が建物設備に相当する。
【００３９】
巻取ドラム２３の回転軸はシャッタカーテン２１の昇降方向に対して直交する方向（水平方向）に延びており、シャッタカーテン２１は、巻取ドラム２３に巻き取られることで開状態に移行することが可能になっており、巻取ドラム２３から繰り出されることで閉状態に移行することが可能になっている。
【００４０】
シャッタカーテン２１は、スラット式シャッタカーテンとされており、長尺板状のスラット２５を複数有している。各スラット２５は水平方向に沿って延びた状態で、上下方向に並べて配置されている。
【００４１】
なお、シャッタ装置２０は、電気モータを含んで構成されたカーテン駆動部を有しており、そのカーテン駆動部が駆動することで巻取ドラム２３が回転し、シャッタカーテン２１の昇降が行われる。
【００４２】
屋根部１３は、寄棟屋根や切妻屋根などの傾斜屋根を構成するものであり、棟から軒先に向けて斜め下方に傾斜している。屋根部１３においては、外壁１８よりも側方（屋外側）に突出した部分が軒部３１となっており、軒部３１の下方には軒天井３２が設けられている。軒天井３２には、その軒天井３２の天井面を形成する軒天板３３が含まれている。軒天板３３は、所定の耐水性能を有する不燃材により形成されており、外壁１８と屋根部１３の軒先とに架け渡された状態で設けられている。また、軒部３１と軒天井３２との間には軒天裏空間３４が形成されている。
【００４３】
シャッタケース２２は、軒天井３２に下方から埋め込まれている。軒天井３２には、軒天板３３を貫通する軒天開口部３６が形成されており、シャッタケース２２においては、少なくともその上部が軒天開口部３６を通じて軒天裏空間３４に入り込んでいる。この場合、デッドスペースとしての軒天裏空間３４をシャッタケース２２の設置スペースとして有効利用していることになる。シャッタケース２２においては、下端寄りの部分が軒天井３２よりも下方に突出している。シャッタケース２２の外周面のうち外壁１８側の側面は、外壁１８の屋外側面（外壁面）と重なった状態になっている。
【００４４】
軒天井３２は、屋根部１３の軒先部分と外壁１８とに架け渡された状態になっており、外壁１８から軒先に向けて延びている。ここで、軒天開口部３６は、軒天井３２における外壁１８側の端部から屋外側に向けて入り込んだ切り欠きにより形成されており（図３参照）、軒天開口部３６は、その切り欠きの内周面と外壁１８の屋外側面とに囲まれた領域となっている。屋根部１３の軒先部分と外壁１８との並び方向においては、シャッタケース２２が軒天板３３と外壁１８との間に配置されており、軒天板３３におけるシャッタケース２２側の端部は外壁１８から軒先部分側に離間している。この場合、軒天板３３におけるシャッタケース２２側の端面は、シャッタケース２２の側面に対向している。
【００４５】
なお、軒天板３３におけるシャッタケース２２側の端部には、その端面を覆うようにして見切り部材が取り付けられている。見切り部材は、軒天開口部３６における軒天板３３の端部に沿って延びるように設けられており、これによって、軒天板３３の端面がシャッタケース２２の側面に直接は接触しないようになっている。
【００４６】
図２に示すように、外壁１８は、天井大梁４１等の大梁に取り付けられた外壁パネル４２を含んで構成されている。外壁パネル４２は、大梁に固定されている外壁下地としての外壁フレーム４３と、その外壁フレーム４３に取り付けられている外壁面材４４とを有している。外壁面材４４は、窯業系サイディングボード等の外装材により矩形板状に形成されている。なお、天井大梁４１は、柱として建物１０内に設けられた屋内柱（図示略）の上端に接続されている。
【００４７】
屋根部１３は、棟から軒先に向けて延びる垂木５１と、垂木５１の上に設けられた屋根下地部としての野地板５２と、野地板５２の上に設けられた屋根仕上材としての瓦５３とを有している。垂木５１は、天井大梁４１の上に設置された屋根束などにより下方から支持されており、棟及び軒先が延びる方向に所定間隔で複数並べて配置されている。なお、野地板５２、瓦５３は、それぞれ屋根パネル、屋根葺材と称してもよい。また、屋根部１３には、垂木５１と直交する方向に延びる母屋材５４が設けられている。
【００４８】
ロジア空間１７には、軒部３１における軒先寄りの部分を下方から支持する屋外柱６１が設けられている。ここで、ロジア空間１７の奥行き寸法は、バルコニーやベランダなどに比べて比較的大きくなっている。この場合、外壁１８に対して軒部３１が片持ち支持されている場合に比べて、軒部３１に対する支持強度が屋外柱６１により高められている。屋外柱６１は、ロジア空間１７の屋外床部１７ａから上方に向けて延びている。屋外柱６１の上には屋根支持部５９が設けられており、軒部３１は屋根支持部５９を介して屋外柱６１の上に設置されている（図１参照）。なお、屋外柱６１は、構造体としての柱本体と、柱本体の周囲を囲む化粧部とを有しており、ロジア空間１７の意匠性を高めている。
【００４９】
ロジア空間１７の上方において、軒天裏空間３４には、軒天井３２を上方から支持する軒天フレーム６２が設けられている。軒天フレーム６２は、軒天板３３の上方に配置されており、屋外柱６１や天井大梁４１、屋内柱などに接続されている。この場合、屋外柱６１は、天井大梁４１や屋内柱など建物内の躯体に軒天フレーム６２を介して連結されている。軒天フレーム６２には軒天下地６３が取り付けられており、軒天板３３は、軒天下地６３を介して軒天フレーム６２に取り付けられている。
【００５０】
図３、図４に示すように、ロジア空間１７においては、四方のうち隣り合う二方が側方に向けて開放されており、残りの二方に二階居室１６が配置されている。ロジア空間１７は、直方体形状とされており、外壁１８のうちロジア空間１７の長手方向に沿って延びている部分に、窓部１９及びシャッタ装置２０が設けられている。ロジア空間１７の屋外床部１７ａは平面視で長方形状とされており、屋外柱６１は屋外床部１７ａの出隅部分に立設されている。なお、ロジア空間１７には、手摺としての腰壁が設けられている。腰壁は、屋外床部１７ａの屋外側周縁部に沿って延びており、屋外柱６１や外壁１８、屋内柱などに接続されている。
【００５１】
軒天フレーム６２は、屋外柱６１に接続されている屋外大梁６５ａ，６５ｂと、その屋外大梁６５に接続されている中間梁６６ａ，６６ｂとを有している。屋外大梁６５ａ，６５ｂ及び中間梁６６ａ，６６ｂは、いずれも断面コ字状の溝形鋼により形成されたフレーム材になっている。屋外大梁６５ａ，６５ｂは、屋外柱６１と外壁１８とに架け渡された状態になっており、それら屋外柱６１及び外壁１８（天井大梁４１や屋内柱）のそれぞれにボルトや溶接等により固定されている。屋外大梁６５ａ，６５ｂのうち、ロジア空間１７の長手方向に沿って延びている長手屋外大梁６５ａは、屋外床部１７ａの長辺と平行に延びており、ロジア空間１７の短手方向に沿って延びている短手屋外大梁６５ｂは、屋外床部１７ａの短辺と平行に延びている。
【００５２】
中間梁６６ａ，６６ｂは、屋外大梁６５に接続されている。中間梁６６ａ，６６ｂのうち、ロジア空間１７の長手方向に沿って延びている長手中間梁６６ａは、外壁１８と長手屋外大梁６５ａとの間に配置され、その長手屋外大梁６５ａと平行に延びている。ロジア空間１７の短手方向に沿って延びている短手中間梁６６ｂは、外壁１８と短手屋外大梁６５ｂとの間に配置され、その短手屋外大梁６５ｂと平行に延びている。長手屋外大梁６５ａ及び長手中間梁６６ａにおいては、それぞれの溝部開放側が互いに向かい合っており、短手屋外大梁６５ｂ及び短手中間梁６６ｂにおいては、それぞれの溝部開放側が互いに向かい合っている。
【００５３】
短手中間梁６６ｂは、長手屋外大梁６５ａと外壁１８とに架け渡された状態になっており、それら長手屋外大梁６５ａ及び外壁１８（天井大梁４１や屋内柱）のそれぞれにボルトや溶接等により接続されている。長手中間梁６６ａは、短手屋外大梁６５ｂと短手中間梁６６ｂとに架け渡された状態になっており、それら短手屋外大梁６５ｂ及び短手中間梁６６ｂのそれぞれにボルトや溶接等により接続されている。
【００５４】
また、軒天フレーム６２は、長手屋外大梁６５ａと長手中間梁６６ａとを連結する中間小梁６７を有している。中間小梁６７は、屋外大梁６５ａ，６５ｂと同様に、断面コ字状の溝形鋼により形成されたフレーム材とされており、長手屋外大梁６５ａ及び長手中間梁６６ａのそれぞれにボルトや溶接等により接続されている。
【００５５】
本実施形態では、屋外柱６１と軒天フレーム６２とがユニット化されることでロジアフレーム６８が形成されている。ロジアフレーム６８は、建物ユニットと同様に、工場で製造され、その後、トラック等の輸送手段により工場から建築現場に輸送される。そして、建築現場において複数の建物ユニットが設置された後、ロジア空間１７において建物ユニットの柱や天井大梁などに固定される。このため、ロジアフレーム６８の設置作業について、建築現場での作業負担を低減できる。
【００５６】
ロジア空間１７において、シャッタケース２２は長手中間梁６６ａと外壁１８との間に配置されている。ここで、軒天板３３と外壁１８との間にシャッタケース２２が存在しない部分においては、軒天板３３の端部が外壁１８に対して固定することが可能となるが、軒天板３３と外壁１８との間にシャッタケース２２が存在する部分においては、軒天板３３の端部を外壁１８に対して固定することができない。しかも、長手中間梁６６ａがシャッタケース２２から離間している場合、軒天板３３におけるシャッタケース２２側の端部が長手中間梁６６ａに対して固定できないことになる。また、軒天板３３をシャッタケース２２に固定することは、シャッタケース２２の強度が軒天板３３の支持を想定した強度にはなっていないことなどにより好ましくない。
【００５７】
そこで、長手中間梁６６ａの位置をシャッタケース２２側に変更して、軒天板３３におけるシャッタケース２２側の端部を長手中間梁６６ａに対して固定する方法が考えられる。しかしながら、建物ユニットを用いた工業化建物においても、シャッタケース２２の形状や大きさはユーザの要望や使用目的などに応じて建物１０ごとに異なることが想定され、建物ユニットと同様にロジアフレーム６８を工場で製造している建物１０において、シャッタケース２２に合わせて長手中間梁６６ａの位置を変更するということは、コスト負担の増大や作業効率の低下につながってしまう。
【００５８】
これに対して、本実施形態では、軒天板３３におけるシャッタケース２２側の端部を、長手中間梁６６ａ側から支持するようになっている。これにより、長手中間梁６６ａの位置を変更しなくても、シャッタケース２２の周囲において、軒天板３３の取り付け状態が不安定になってしまうということを抑制できる。
【００５９】
図２に示すように、軒天下地６３には、軒天フレーム６２に取り付けられたブラケット７１，７２と、ブラケット７１，７２に取り付けられた下地材７３とが含まれている。下地材７３は、木材や合成樹脂材料などにより形成された野縁等の長尺部材であり、軒天板３３に沿って延びている。軒天板３３は、下地材７３の下面に対してビス等の固定具により固定されており、下地材７３は、ビス等の固定具によりブラケット７１，７２に固定されている。この場合、軒天板３３は下地材７３を介してブラケット７１，７２に取り付けられていることになる。
【００６０】
ブラケット７１，７２は金属材料や合成樹脂材料などにより形成されており、それらブラケット７１，７２のうち、第１ブラケット７１は、軒天板３３におけるシャッタケース２２側の端部を支持するものであり、長手中間梁６６ａの長手方向に沿ってその長手中間梁６６ａに複数取り付けられている。この場合、第１ブラケット７１は、シャッタケース２２の正面側に配置されていることになる。第１ブラケット７１は、シャッタケース２２に向けて延びている延出部７５と、延出部７５から上方に向けて延びている起立部７６とを有しており、全体として略L字状に形成されている。なお、長手中間梁６６ａが軒材に相当し、第１ブラケット７１が支持ブラケットに相当する。
【００６１】
ここで、長手中間梁６６ａに対する第１ブラケット７１の取り付け構造について図５を参照しつつ説明する。図５は第１ブラケットの構成を示す斜視図である。なお、図５においては、軒天板３３の図示を省略している。
【００６２】
図５に示すように、第１ブラケット７１は、金属板を折り曲げて形成されており、延出部７５及び起立部７６はそれぞれ板状になっている。延出部７５と起立部７６とは互いに直交する方向に延びており、第１ブラケット７１は、延出部７５と起立部７６とを直交位置にて保持するための補強部７７を有している。補強部７７は、延出部７５及び起立部７６とは直交する方向に延びる板部であり、それら延出部７５と起立部７６との入隅部に入り込んだ状態で、延出部７５及び起立部７６のそれぞれ自由端寄りの部分を連結している。補強部７７は、延出部７５及び起立部７６のそれぞれに溶接等により固定されている。
【００６３】
第１ブラケット７１は、長手中間梁６６ａの周面における溝部開放側とは反対側の側面に対して、固定具としてのボルト７８により固定されている。長手中間梁６６ａは、ウェブ７９ａと、そのウェブ７９ａを挟んで対向する一対のフランジ７９ｂとを有しており、ウェブ７９ａの外側面に対して、第１ブラケット７１における起立部７６の外側面（延出部７５とは反対側の面）が重ねられており、その状態で起立部７６を貫通したボルト７８がウェブ７９ａ側に対して螺着されている。
【００６４】
延出部７５は、下地材７３に沿って延びており、下地材７３は、その上面が延出部７５の下面に重なった状態でビス等により延出部７５に対して固定されている。下地材７３は、延出部７５における先端部の下方に配置されている。つまり、図２に示すように、長手中間梁６６ａからシャッタケース２２側に離間した位置に配置されている。この場合、軒天板３３におけるシャッタケース２２側の端部が、第１ブラケット７１により支持されている下地材７３に固定されることになる。また、この下地材７３は、延出部７５と軒天板３３との間に挟まった状態になっている。
【００６５】
一方、第２ブラケット７２は、第１ブラケット７１よりもシャッタケース２２から離れた位置に配置されており、その位置にて軒天板３３を支持するものである。第２ブラケット７２は、屋外大梁６５ａ，６５ｂ、中間梁６６ａ，６６ｂ及び中間小梁６７のそれぞれに取り付けられている。いずれの第２ブラケット７２も、長手屋外大梁６５ａ等の梁材から下方に向けて延びており、第２ブラケット７２の側面に下地材７３がビス等の固定具により固定されている。なお、第２ブラケット７２が中間ブラケットに相当する。
【００６６】
ちなみに、長手中間梁６６ａにおいて、シャッタケース２２と対向している部分には第１ブラケット７１が取り付けられており、シャッタケース２２と対向していない部分（シャッタケース２２よりも側方に突出した部分）には第２ブラケット７２が取り付けられている。この場合、長手中間梁６６ａは、その長手中間梁６６ａが設置されている全ての領域において、第１ブラケット７１又は第２ブラケット７２を介して軒天板３３を支持している。
【００６７】
軒天板３３においては、ロジア空間１７よりも軒先側の部分が屋根部１３により支持されている。例えば、屋根部１３の軒先には鼻隠し部が設けられており、その鼻隠し部に対して軒天板３３における軒先側の端部が取り付けられている。また、垂木５１や母屋材５４などの屋根下地部には、下地材７３を吊り下げ支持する吊り部材８１が取り付けられており、ロジア空間１７と軒先との間の領域において軒天板３３が下地材７３を介して吊り部材８１に対して固定されている。なお、この場合、軒天井３２を支持するための構造からの観点では、吊り部材８１が取り付けられた屋根下地部が軒材に含まれ、吊り部材８１が軒天下地に含まれる。
【００６８】
以上詳述した本実施形態によれば、以下の優れた効果が得られる。
【００６９】
第１ブラケット７１の延出部７５がシャッタケース２２に向けて延びているため、長手中間梁６６ａがシャッタケース２２から離間した位置にある場合でも、その長手中間梁６６ａに取り付けられた第１ブラケット７１により、軒天板３３におけるシャッタケース２２側の端部を延出部７５の先端部分により支持することができる。これにより、軒天板３３をシャッタケース２２に固定しなくても、軒天板３３の取り付け状態が不安定になることを解消できる。
また、軒天板３３におけるシャッタケース２２側の端部を支持可能な位置に長手中間梁６６ａを設置することも考えられるが、第１ブラケット７１が延出部７５を有しているため、長手中間梁６６ａの位置をシャッタケース２２の形状や大きさに合わせて変更しなくても、軒天板３３におけるシャッタケース２２側の端部を好適に支持できる。したがって、設計変更の負担や軒天井３２を施工する際の負担を低減することができる。
【００７０】
以上により、軒天井３２にシャッタケース２２が埋め込まれていても、軒天板３３の支持状態を適正なものとすることができる。
【００７１】
長手中間梁６６ａは、軒天板３３におけるシャッタケース２２側の端部に加えて、その他の部分も梁材として支持しているため、その長手中間梁６６ａの位置を変更しなくても軒天板３３におけるシャッタケース２２側の端部を第１ブラケット７１により支持できることは、軒天板３３の全体を適正に支持する上で有効である。
【００７２】
ここで、長手中間梁６６ａには、第１ブラケット７１及び第２ブラケット７２の両方が取り付けられているため、軒天板３３におけるシャッタケース２２側の端部を支持するためだけに長手中間梁６６ａの位置を変更すると、第２ブラケット７２の位置も変更することになり、軒天板３３における他の部分を適正に支持することができない状態になってしまう。このため、長手中間梁６６ａに第１ブラケット７１が取り付けられていることは、第２ブラケット７２により軒天板３３を適正な状態で支持する上でも有効である。
【００７３】
軒天フレーム６２や、その軒天フレーム６２を含んだロジアフレーム６８がユニット化されているため、建築現場において長手中間梁６６ａの位置だけを変更することが困難になっている。また、長手中間梁６６ａの位置だけを変更するとしても、ロジアフレーム６８や軒天フレーム６２の一部又は全体を分解することになり、建築現場での作業工数が増加してしまう。したがって、軒天板３３におけるシャッタケース２２側の端部が第１ブラケット７１を介して長手中間梁６６ａにより支持されていることは、建築現場での作業工数の増加を抑制することにもなる。
【００７４】
特に、ロジアフレーム６８において長手中間梁６６ａの位置を変更することを考えた場合、屋外柱６１を含んでロジアフレーム６８全体の構造強度が変化することにもなるため、設計段階でロジアフレーム６８の全体構成を変更することになる。したがって、軒天板３３におけるシャッタケース２２側の端部が第１ブラケット７１を介して長手中間梁６６ａにより支持されていることは、設計変更が生じるという煩わしさを解消することにもなる。
【００７５】
第１ブラケット７１においては、起立部７６の板面が長手中間梁６６ａの側面に重ねられているため、起立部７６の位置を長手中間梁６６ａの側面に沿って上下方向に変更するという容易な作業により、第１ブラケット７１の高さ位置を調整することができる。このため、長手中間梁６６ａの高さ位置が軒天板３３の高さ位置に対してずれていたとしても、そのずれを第１ブラケット７１の高さ位置の調整により解消できる。これにより、上下方向について軒天板３３の高さ位置を適正に設定できる。
【００７６】
第１ブラケット７１及び第２ブラケット７２のいずれに対しても、軒天板３３が下地材７３を介して固定されているため、第１ブラケット７１及び第２ブラケット７２のそれぞれについて専用の下地材を使い分けるという必要がない。これにより、軒天井３２の施工についてコスト負担や作業負担を低減することができる。
【００７７】
第１ブラケット７１の延出部７５の下側に下地材７３が配置されているため、下地材７３の位置を延出部７５の下面に沿ってずらすという容易な作業により、シャッタカーテン２１に対して近付く方向（遠ざかる方向）について下地材の位置を調整することができる。このため、第１ブラケット７１の延出部７５の延出寸法が、長手中間梁６６ａとシャッタケース２２との離間距離に対してずれていたとしても、そのずれを延出部７５に対する下地材７３の位置調整により解消できる。これにより、シャッタケース２２に近付く方向について、そのシャッタケース２２に対する下地材７３の位置合わせを容易に行うことができる。
【００７８】
さらに、延出部７５が板状であるため、下地材７３を延出部７５の下面に沿ってその延出部７５の幅方向にずらすことが可能となる。これにより、延出部７５の延出方向とは交差する方向について、シャッタケース２２に対する下地材７３の位置合わせを容易に行うことができる。
【００７９】
［他の実施形態］
本発明は上記実施形態の記載内容に限定されず、例えば次のように実施されてもよい。
【００８０】
（１）上記実施形態では、シャッタケース２２が長手中間梁６６ａと外壁１８との間に配置されていたが、シャッタケース２２は、短手中間梁６６ｂと外壁１８との間に配置されていてもよい。この場合、図６に示すように、第１ブラケット７１が短手中間梁６６ｂに取り付けられた構成とする。この構成においても、軒天板３３におけるシャッタケース２２側の端部を第１ブラケット７１により好適に支持することができる。
【００８１】
また、上記実施形態では、第１ブラケット７１がシャッタケース２２の正面側に配置されていたが、第１ブラケット７１は、シャッタケース２２の側面側に配置されていてもよい。この場合でも、軒天板３３におけるシャッタケース２２の側面側の端部を第１ブラケット７１により好適に支持することができる。
【００８２】
さらに、第１ブラケット７１は、屋外大梁６５ａ，６５ｂ、中間梁６６ａ，６６ｂ及び中間小梁６７のいずれに取り付けられていてもよい。つまり、第１ブラケット７１は、横架材としての梁材に取り付けられていればよい。
【００８３】
（２）図７に示すように、第１ブラケット７１の延出部７５には、作業用のブラケット開口部９１が設けられていてもよい。ブラケット開口部９１は、延出部７５の先端から起立部７６に向けて延びる切り欠きにより形成されている。なお、起立部７６から複数の延出部７５が所定の間隔で延びていてもよい。この場合、隣り合う延出部７５の離間部分によりブラケット開口部９１が形成されることになる。いずれの場合でも、ブラケット開口部９１が設けられている構成では、作業者がボルト７８を用いて第１ブラケット７１を長手中間梁６６ａに固定する際に、延出部７５の下方からブラケット開口部９１に手や工具を挿し入れることで、ボルト７８の固定作業を容易に行うことができる。
【００８４】
（３）上記実施形態では、第１ブラケット７１の延出部７５の下側に下地材７３が設けられていたが、下地材７３は、延出部７５の側方に設けられていてもよい。例えば、図８（ａ）に示すように、第１ブラケット７１が、延出部７５の先端から下方に向けて突出している下方突出部９３を有しており、下地材７３が下方突出部９３よりも先端側（シャッタケース２２側）に設けられた構成とする。この構成では、下方突出部９３が延出部７５と同様に板状にされており、下地材７３の位置を下方突出部９３の側面に沿って上下方向に変更することが可能になっている。
【００８５】
この構成によれば、下地材７３の位置を下方突出部９３の側面に沿ってずらすという容易な作業により、下地材７３の高さ位置を調整することができる。このため、第１ブラケット７１の高さ位置が軒天板の設置高さに対してずれていたとしても、そのずれを下地材７３の高さ位置を調整することで解消できる。これにより、上下方向について軒天板３３の取り付け位置を適正に設定することができる。
【００８６】
なお、下方突出部９２を有している第１ブラケット７１においても、延出部７５の下側に下地材７３が取り付けられていてもよい。
【００８７】
（４）上記実施形態では、第１ブラケット７１には下地材７３を介さずに軒天板３３が取り付けられていてもよい。例えば、図８（ｂ）に示すように、第１ブラケット７１が、延出部７５の先端部から下方に向けて延びる引っ掛け部９４を有しており、その引っ掛け部９４が軒天板３３の端部（軒天板３３におけるシャッタケース２２側の端部）に引っ掛けられた構成とする。この構成によれば、第１ブラケット７１により下地材７３を用いずに軒天板３３を直接的に支持することができる。また、引っ掛け部９４が軒天板３３の端部に沿って延びる構成とすれば、引っ掛け部９４を見切り部材として用いることが可能となる。
【００８８】
なお、引っ掛け部９４を有している第１ブラケット７１においても、延出部７５の下側に下地材７３が取り付けられていてもよい。
【００８９】
（５）上記実施形態では、第１ブラケット７１が長手屋外大梁６５ａの側面に対して固定されていたが、第１ブラケット７１は長手屋外大梁６５ａの上面や下面に対して固定されていてもよい。例えば、第１ブラケット７１が起立部７６を有しておらず、延出部７５の上面が長手屋外大梁６５ａの下面に重ねられた状態で、第１ブラケット７１が長手屋外大梁６５ａに固定された構成とする。
【００９０】
（６）上記実施形態では、長手中間梁６６ａが軒材に相当する構成としたが、垂木５１等の屋根下地部が軒材に相当する構成としてもよい。例えば、図９に示すように、吊り部材８１がロジア空間１７の上方に配置され且つ延出部７５を有している構成とする。この構成では、吊り部材８１の下端からシャッタケース２２に向けて延出部７５が延びており、その延出部７５に軒天板３３が下地材７３を介して固定されている。この場合、吊り部材８１が支持ブラケットに相当し、吊り部材８１により軒天板３３におけるシャッタケース２２側の端部を好適に支持することが可能となる。
【００９１】
（７）上記実施形態では、軒天フレーム６２と屋外柱６１とがユニット化されることでロジアフレーム６８が形成されていたが、軒天フレーム６２と屋外柱６１とはユニット化されていなくてもよい。この場合でも、軒天フレーム６２においては、屋外大梁６５ａ，６５ｂ、中間梁６６ａ，６６ｂがユニット化されているため、軒天板３３におけるシャッタケース２２側の端部を支持するために長手屋外大梁６５ａの位置を変更する必要がないことについて、コスト負担や作業効率の低下を回避できるという効果を得ることができる。
【００９２】
（８）上記実施形態では、ロジア空間１７が四方のうち二方に開放された屋外空間とされていたが、ロジア空間１７は、四方のうち少なくとも一方に開放された屋外空間であればよい。また、延出部７５を有する第１ブラケット７１がロジア空間１７の軒天井３２に用いられていたが、第１ブラケット７１は、軒天井を有するバルコニー等の屋外空間に用いられてもよい。
【００９３】
（９）シャッタ装置２０が設けられている外壁開口部としては、窓部１９の他に出入口などが挙げられる。
【００９４】
（１０）軒天井３２に下方から埋め込まれる建物設備としては、シャッタケース２２の他に、空調室外機や貯湯タンク、蓄電装置、コージェネ機器などが挙げられる。
【符号の説明】
【００９５】
１０…建物、１１…下階部としての一階部分、１２…上階部としての二階部分、１３…屋根を構成する屋根部、１５…下階部の屋内空間としての一階居室、１７…ロジア空間、１８…外壁、１９…外壁開口部としての窓部、２０…シャッタ装置、２１…シャッタカーテン、２２…建物設備としてのシャッタケース、３１…軒部、３２…軒天井、３３…軒天板、３６…軒天開口部、６１…屋外柱、６２…軒天フレーム、６６ａ…軒材及び梁材としての長手中間梁、６８…ロジアフレーム、７１…軒天下地を構成する支持ブラケットとしての第１ブラケット、７２…中間ブラケットとしての第２ブラケット、７３…下地材、７５…延出部、７６…起立部、８１…軒天下地を構成する支持ブラケットとしての吊り部材、９３…下方突出部。
【図１】
2014125752.tif 000003
【図２】
2014125752.tif 000004
【図３】
2014125752.tif 000005
【図４】
2014125752.tif 000006
【図５】
2014125752.tif 000007
【図６】
2014125752.tif 000008
【図７】
2014125752.tif 000009
【図８】
2014125752.tif 000010
【図９】
2014125752.tif 000011